(57)【要約】【課題】配線が外部に露出することがなく、また現場での配線作業を容易に行うことができて施工性のよい照明付き階段。【解決手段】建築物の上階と下階とに掛け渡された桁１上に間隔をおいて設けられた踏板受け材２を介して複数の踏板３を設け、少なくとも一側部を開放した階段において、上記桁１には、その長手方向に沿って中空部（凹溝８と塞ぎカバー１１とからなる）を形成し、この中空部内にコードを配線するとともに、上記踏板受け材２の側面に照明器具３２を設け、照明器具３２と桁１中のコードとを接続した。【選択図】図１
2012162969.tif 000002
【特許請求の範囲】
【請求項１】
建築物の上階と下階とに掛け渡された桁上に間隔をおいて設けられた踏板受け材を介して複数の踏板を設け、少なくとも一側部を開放した階段において、上記桁には、その長手方向に沿って中空部を形成し、この中空部内にコードを配線するとともに、上記踏板受け材の側面に照明器具を設け、照明器具と桁中のコードとを接続したことを特徴とする照明器具付き階段。
【請求項２】
上記照明器具は、上記踏板受け材の正面に配置したことを特徴とする、請求項１に記載の照明器具付き階段。
【請求項３】
上記照明器具に接続するコードを上記踏板受け材の内部に配線したことを特徴とする、請求項１又は２に記載の照明器具付き階段。
【請求項４】
上記いずれかの踏板の下面に長手方向に沿う凹溝を形成し、この凹溝に接続用のコードを配線し、該コードの一端を上記桁に配置されたコードの一端に接続可能としたことを特徴とする、請求項１〜３のいずれかに記載の照明器具付き階段。
【請求項５】
上記凹溝には上記コードを隠すためのカバーが設けられ、カバーの端部には上記コードを外部に通すための隙間を形成したことを特徴とする、請求項４に記載の照明器具付き階段。
【請求項６】
上記凹溝を形成した踏板は最下段の踏板であることを特徴とする、請求項４に記載の照明器具付き階段。
【発明の詳細な説明】
【技術分野】
【０００１】
本発明は、少なくとも一側部を開放したオープン階段において、夜間でも踏板の位置がわかるように照明を設けた照明付き階段に関する。
【背景技術】
【０００２】
建築物の上階と下階とを連絡する室内階段にはいろいろな構造のものが知られているが、建築物の上階と下階とに掛け渡された桁上に間隔をおいて複数の踏板を設け、少なくとも一側部を開放したオープン階段は、桁の上に踏板受け材を固定し、踏板受け材上に踏板を支持させただけの階段は、構造が単純でデザインがシンプルになるため、人気が高い。また、必要とされる桁数や部品点数の削減、施工の簡素化などの面でコストが低く抑えられ、有利である（特許文献１参照）。
【０００３】
ところで、左右の桁間に踏板と蹴込板とを設けた一般的な階段でも、オープン階段であっても、夜間に使用するときは踏板の位置がわからないと危険であるから、踏板の位置がわかるように照明を設ける必要がある場合がある。このような照明付きの階段としては、例えば、特許文献２のように、踏板の前端下面に照明器具を取り付けたものや、特許文献３のように、蹴込板の上部に照明器具を取り付けたものが知られている。そして、照明器具はほとんどの場合、踏板や蹴込板の中央に配置されている。
【先行技術文献】
【特許文献】
【０００４】
【特許文献１】特開２００５−３２０７７５号公報
【特許文献２】特開平１０−２６９８４１号公報
【特許文献３】特開２００４−１９０３３５号公報
【発明の概要】
【発明が解決しようとする課題】
【０００５】
しかしながら、踏板や蹴込板の中央部に照明器具を取り付ける構成では、配線が露出して外観が損なわれたり、施工現場での加工や配線などのわずらわしく面倒な作業を要し、施工手間がかかったりするという問題があった。
【０００６】
本発明は上記問題点を解消し、配線が外部に露出することがなく、また現場での配線作業を容易に行うことができ、意匠性や施工性のよい照明付き階段を提供することをその課題とする。
【課題を解決するための手段】
【０００７】
上記課題を解決するため、請求項１に係る発明は、建築物の上階と下階とに掛け渡された桁上に間隔をおいて設けられた踏板受け材を介して複数の踏板を設け、少なくとも一側部を開放した階段において、上記桁材には、その長手方向に沿って中空部を形成し、この中空部内にコードを配線するとともに、上記踏板受け材の側面に照明器具を設け、照明器具と桁材中のコードとを接続したことを特徴とする。
【０００８】
請求項２に係る発明は、請求項１において、上記照明器具は、上記踏板受け材の正面に配置したことを特徴とする。
【０００９】
請求項３に係る発明は、請求項１又は２において、上記照明器具に接続するコードを上記踏板受け材の内部に配線したことを特徴とする。
【００１０】
請求項４に係る発明は、請求項１〜３のいずれかにおいて、上記いずれかの踏板の下面に長手方向に沿う凹溝を形成し、この凹溝に接続用のコードを配線し、該コードの一端を上記桁に配置されたコードの一端に接続可能としたことを特徴とする。
【００１１】
請求項５に係る発明は、請求項４において、上記凹溝には上記コードを隠すためのカバーが設けられ、カバーの端部には上記コードを外部に通すための隙間を形成したことを特徴とする。
【００１２】
請求項６に係る発明は、請求項４において、上記凹溝を形成した踏板は最下段の踏板であることを特徴とする。
【発明の効果】
【００１３】
請求項１に係る発明によれば、桁材には、その長手方向に沿って中空部を形成し、この中空部内にコードを配線するとともに、上記踏板受け材の側面に照明器具を設け、照明器具と桁材中のコードとを接続している構成であり、コードを桁の中空部を通して配線することができるため、配線が外部に露出するのを極力防ぐことができ、階段全体の外観がよく、意匠性がよい。また、照明器具を踏板や蹴込板に取り付けるのではなく、踏板受け材に取り付けるので、施工性がよい。
【００１４】
請求項２に係る発明によれば、照明器具は、踏板受け材の正面に配置したので、下段の踏板を効率よく照らすことができる。
【００１５】
請求項３に係る発明によれば、照明器具に接続するコードを踏板受け材の内部に配線したから、コードの露出を防ぐことができる。
【００１６】
請求項４に係る発明によれば、桁が複数本設けられ、いずれか１本の桁の中空部にコードを設けた場合において、一段の踏板の下面に長手方向に沿う凹溝を形成し、この凹溝に接続用のコードを配線し、上記１本の桁のコードに接続可能としたから、桁が複数本あっても、配線することができる。また、配線の露出も最小限にできるため、意匠性がよい。
【００１７】
また、一段の踏板の下面に形成した凹溝に接続用のコードを配線し、該コードの一端を上記桁に配置されたコードの一端に接続可能としたから、複数の桁に照明器具を配置する構成であっても、上記接続用のコードを介して複数の桁に配線されたコードに接続することができる。
【００１８】
請求項５に係る発明によれば、凹溝には上記コードを隠すためのカバーが設けられ、カバーの端部には上記コードを外部に通すための隙間を形成したから、配線カバーによってコードを隠すことができるとともに、隙間からコードを逃がすことができるので、配線作業に支障はない。また、踏板の配線の露出も最小限にすることができるため、意匠性がよい。
【００１９】
請求項６に係る発明によれば、凹溝は最下段の踏板に設け、凹溝内のコードは外部からはほとんど見ることはできないので、意匠性が向上する。
【図面の簡単な説明】
【００２０】
【図１】本発明に係る階段の斜視図
【図２】上記階段の側面図
【図３】桁の断面図
【図４】踏板固定金具の斜視図
【図５】踏板受け材の分解斜視図
【図６】踏板受け材の取付状態を示す説明図
【図７】踏板受け材上に踏板を取り付ける状態を示す斜視図
【図８】照明装置の配線状態を踏板受け材を省略して示す一部断面図
【図９】照明装置の下部の配線状態を示す拡大正面図
【図１０】桁と踏板を示す斜視図
【図１１】踏板の下面の配線状態の要部の底面図
【発明を実施するための形態】
【００２１】
図１はオープン階段の一実施形態の斜視図、図２はその側面図である。これらの図において、階段は、建築物の上階部と下階部とに掛け渡された２本の桁（ササラ桁）１と、桁１に間隔をおいて設けられた踏板受け材２と、左右の踏板受け材２上に支持された踏板３とから構成され、一側には手摺４が設けられ、他側には壁５が設けられている。階段は両側がオープンになっていてもよい。
【００２２】
桁１は断面が図３に示すように、断面が略長方形の部材で、アルミニウムの押出形材からなり、中空部６の上部には上端に開口部７を有する上下２段の凹溝８が形成されている。下段の一側には斜めの取付片１０が形成されている。また、桁１の凹溝８の開口部７には、上下の踏板受け材２間に塞ぎカバー１１が取り付け可能に設けられ、開口部７に塞ぎカバー１１を取り付けることにより、中空部が形成されるようになっている。
【００２３】
桁１の上端は斜めに切断されて上下階間の壁体１２に当接され、固定金具１３を介して固定されている。桁１の下端も斜めに切断されて下階の床面に当接され、固定金具１４を介して固定されている。
【００２４】
桁１には、その上面の長手方向に沿って等間隔に踏板受け材２が固定されている。踏板受け材２は、図４〜図７に示されるように、踏板固定金具１６と化粧カバー１７とから構成されている。踏板固定金具１６は、上部傾斜片１８と中空の側壁部１９と下部固定片２０とから主に形成され、下部固定片２０は中央の張り出し片２１と両端の斜片２２とからなり、上部傾斜片１８の両端にはボルト孔１５が形成され、その裏側にはナット２３が固定されている。側壁部１９の両側には緩衝材２４が取り付けられている。
【００２５】
踏板固定金具１６は、図６に示されるように、下部の張り出し片２１と斜片２２とを桁１の開口部７から２段凹溝８内に入れ、張り出し片２１を上段の底部に当接し、斜片２２を桁１の取付片１０に当接し、斜片２２と取付片１０とをビス２７で固定することにより取り付けられている。
【００２６】
化粧カバー１７は筒状に形成され、踏板固定金具１６の桁１上の周囲を覆うように嵌め込みにより配置されている。
【００２７】
踏板３は踏板受け材２上に配置され、図６、図７に示されるように、上方から挿通されたボルト２８を踏板固定金具１６の上部傾斜片１８の裏側に設けられたナット２３に螺着することにより固定されている。踏板３は木製でも合成樹脂製でも金属製でもよい。
【００２８】
また、階段の一側には手摺４が設けられている。この手摺４は、図１に示されるように、複数の踏板３の一端に立設された手摺柱３０と、手摺柱３０の上端に支持された手摺材３１とから構成されている。
【００２９】
ところで、上記階段には照明装置が設けられている。この照明装置は、図８〜図１０に示されるように、踏板受け材２の正面に照明器具（例えばＬＥＤ）３２を設け、照明器具３２に配線されたコード３３ａ、３３ｂに接続したもので、照明器具３２は図８に示されるように、踏板受け材２の化粧カバー１７の正面の上部に取り付けられている。端部のコード３３の端部にはプラグ３４が取り付けられ、プラグ３４は壁５の下部に配置されているコンセント３５（図１参照）に差込み可能となっている。なお、図８には踏板固定金具１６は省略されている。
【００３０】
一方の長いコード３３ａは、図６に示されるように、桁１の凹溝８の内部に配置され、照明器具３２を取り付けた上下の踏板３の間に配置されている。凹溝８は塞ぎカバー１１で塞がれているので、コード３３ａが外部に露出することはない。この実施形態の場合は、全踏板受け材２に照明器具３２が取り付けられているので、上下に隣り合う踏板受け材２間に配置されている。そして、他方の短いコード３３ｂは、その下方の桁１内コード３３ａの上端に接続されている。
【００３１】
ところで、図１の実施形態においては、照明器具３２を設けた側の桁１と反対側の桁１側にコンセント３５が設けられているので、桁１内コード３３ａは反対の桁１側に持ち込まなければならない。そのため、図９〜図１１のように、最下段の踏板３ａの下面の長手方向に凹溝３７を形成し、この凹溝３７内に接続用のコード３３ｃを配線するとともに、図８〜図１０に示されるように、一方の桁受け材２に設けたケーブルブッシング３６から導出したコード３３ａの端部を接続用コード３３ｃの一端に接続し、接続用コード３３ｃの他端を反対側の桁受け材２に設けたケーブルブッシング３６（図８、図１０参照）に通した別の接続コード３３ｄの一端に接続し、さらに接続コード３３ｄの他端をプラグ３４を取り付けたＡＣコード３３の端部に接続するように構成されている。
【００３２】
なお、図１１に示されるように、接続用コード３３ｃは角筒状又は断面コ字形のカバー３８内を通した状態で凹溝３７内に嵌合配置されている。カバー３８は凹溝３７よりも短く形成され、カバー３８の端部には上記コード３３ｃを外部に通すための隙間４０が形成されている。
【００３３】
照明器具３２はコントローラ４１によって制御される。コントローラ４１は、光センサによって周囲が所定の暗さや明るさになったときに照明器具３２を点灯、消灯したり、光センサの感度や点灯時の光量の調整したりする。コントローラ４１は、最下段の踏板３ａの下面に固定すればよいが、踏板３の下面ではなく、桁１や踏板受け材２の側面や、建物の壁に取り付けてもよい。
【００３４】
上述の照明装置により、コード３３のプラグ３４をコンセント３５に差し込むことにより、周囲が所定の暗さになったとき、照明器具３２が自動的に点灯し、周囲が所定の明るさになったとき、照明器具３２が自動的に消灯する。
【００３５】
上記階段構成によれば、工場では、図１０に示したように、桁１に踏板受け材２を取付け、さらに照明装置まで組み付けた状態にし、接続用のコード３３ｃも踏板の下側に取り付けた状態にして出荷することができる。これにより、施工現場では、わずかな数の結線作業で済むから、階段工事を短時間で終了することができる。このように、照明器具を踏板や蹴込板に取り付けるのではなく、踏板受け材に取り付けるので、施工性がよい。
【００３６】
また、桁１には、その長手方向に沿って凹溝８と塞ぎカバー１１とからなる中空部を形成し、この中空部内にコード３３ａを配線するとともに、上記踏板受け材２の正面に照明器具３２を設け、照明器具３２と桁１中のコードとを接続している構成であり、コード３３ａを桁１の中空部を通して配線することができるため、配線が外部に露出するのを極力防ぐことができ、階段全体の外観がよく、意匠性がよい。
【００３７】
また、照明器具３２は、踏板受け材２の正面に配置したので、下段の踏板３を効率よく照らすことができる。
【００３８】
さらに、照明器具３２に直接に接続するコード３３ａ、３３ｂを踏板受け材２の内部に配線したから、コードの露出を防ぐことができる。
【００３９】
その上、一段の踏板の下面に形成した凹溝３７に接続用のコード３３ｃを配線し、該コード３３ｃの一端を上記桁に配置されたコード３３ａの一端に接続可能としたから、複数の桁１に照明器具３２を配置するような構成であっても、上記接続用のコード３３ｃを介して複数の桁１に配線されたコードに接続することができる。また、踏板の配線の露出も最小限にすることができるため、意匠性がよい。
【００４０】
また、踏板３の凹溝３７には接続用コード３３ｃを隠すためのカバー３８が設けられ、カバー３８の端部には上記コードを外部に通すための隙間４０を形成したから、カバー３８によってコード３３ｃを隠すことができるとともに、隙間４０からコード３３ｃを逃がすことができるので、配線作業に支障はない。
【００４１】
さらに、カバー３８によって踏板３の配線の露出も最小限にすることができるとともに、凹溝３７を最下段の踏板に設けたので、凹溝３７内のコード３３ｃを外部からはほとんど見ることはできないので、意匠性が向上する。
【００４２】
なお、接続用コード３３ｃを収納するための凹溝３７を備えた踏板３は、最下段の踏板３ａが好ましいが、２段目又は３段目の踏板であってもよい。
【００４３】
また、照明器具３２を壁５側の桁１に設けたときは、踏板３の下面に接続用コードを設ける必要がないのは当然である。
【００４４】
さらに、上記実施形態においては、照明器具３２は一方の桁１側の踏板受け材２にのみ設けられているが、両方の桁１側の踏板受け材に設けてもよい。また、照明器具は踏板受け材の内側面又は外側面、あるいは左右の踏板受け材の向き合う対向側面に設けてもよい。さらに、照明器具３２は上下の全ての踏板受け材２に設けてもよいが、一段おきに設けてもよく、左右の踏板受け材２に交互にジグザグ状に設けてもよい。
【００４５】
また、踏板受け部材は必ずしも上述のような二重構造のものに限定されない。
【００４６】
照明器具３２は、踏板受け材２の正面に配置せず、踏板受け材２の側面に、光を斜めに照射するように設けてもよい。
【００４７】
当然のことであるが、コードは1本で済むようであれば、実施形態のように複数本を接続する必要はない。
【符号の説明】
【００４８】
１  桁
２  踏板受け材
３  踏板
６  中空部
３２  照明器具
３３ａ、３３ｂ、３３ｃ  コード
３８  カバー
【図１】
2012162969.tif 000003
【図２】
2012162969.tif 000004
【図３】
2012162969.tif 000005
【図４】
2012162969.tif 000006
【図５】
2012162969.tif 000007
【図６】
2012162969.tif 000008
【図７】
2012162969.tif 000009
【図８】
2012162969.tif 000010
【図９】
2012162969.tif 000011
【図１０】
2012162969.tif 000012
【図１１】
2012162969.tif 000013